(57)【要約】【課題】歯科治療において光硬化レジンの硬化に用いられる光重合器（ハンドピース）と患者の口腔内の様子を観察する口腔内観察カメラ（ハンドピース）とを効果的に組み合せて、単一のハンドピースとし、従来、２本必要としていたハンドピースを１本にして、コストの低減化を図るとともに、作業効率の向上を図る。【解決手段】ハンドピース１０のヘッド部に光重合用のＬＥＤ１１及び照明用ＬＥＤ１２と、ハーフミラープリズム１３と、カメラ用レンズ１４と、ＣＣＤセンサ１５とを有する。光重合時は、ＬＥＤ１１よりの光をハーフミラープリズム１３を通して光重合レジンに照射して該レジンを硬化し、口腔内観察時は、被観察箇所の像をハーフミラープリズム１３を通してＣＣＤサンサ１５に導き、モニタに表示する。【選択図】図１
2005080759.tif 000002
【特許請求の範囲】
【請求項１】
光重合用のＬＥＤと、ＣＣＤセンサと、前記光重合用ＬＥＤからの光を透過しかつ被観察箇所の像を屈折反射して前記ＬＥＤセンサに導くハーフミラープリズムとを有し、前記ＬＥＤよりの光により光重合レジンを硬化し、前記ＣＣＤセンサにより被観察箇所を撮像するようにしたことを特徴とするカメラ付光重合器。
【請求項２】
照明用のＬＥＤを有し、該ＬＥＤによって光重合箇所及び被観察箇所を照明するようにしたことを特徴とする請求項１に記載のカメラ付光重合器。
【発明の詳細な説明】
【技術分野】
【０００１】
本発明は、歯科治療において、歯牙形成後の修復材として使用する光重合レジンを硬化させるための光重合器と、患者の口腔内を撮影観察するＣＣＤカメラとを備えたカメラ付光重合器に関する。
【背景技術】
【０００２】
歯科治療の１つに、歯牙の修復材として光重合レジンを用い、該光重合レジンを歯牙の破損箇所へ接着した後、該光重合レジンを硬化させるのに有効な波長範囲（例えば、４３０〜４８０ｎｍ）の光を照射する光重合器を用い、該光重合器から光を照射してレジンを硬化させ、硬化後、切削、研磨等を行って元の歯牙と一体化させて破損前の歯牙の審美性をもたせるようにする歯科保存修復治療がある。
【０００３】
また、歯科治療においては、歯根を切削、成形、洗浄した後、該歯根内に詰め物をする等の治療を行うが、その場合、歯根内が的確に切削、成形されているか否かを観るために、口腔内観察カメラを用いるが、近年ＣＣＤ（固体映像素子）の画素数も多くなり高分解能のものができ、且つ、光感度、色再現性が向上したことからＣＣＤカメラが使用されている。
【０００４】
上述のように、歯科治療においては、光重合器や口腔内観察カメラを使用するが、従来、これらが別体として構成されており、そのため、これらを別々に準備しなければならず、コストがかかるばかりでなく、その都度、それらを取り替えて使用しなければならず、使用勝手が悪かった。特に、歯牙修復作業時等、光重合レジンを硬化する作業と、その硬化作業前の様子や硬化作業後の様子を観察する作業との間で、光重合器（ハンドピース）と口腔内観察用カメラ（ハンドピース）とを持ち替えなければならず、作業能率が悪かった。
【発明の開示】
【発明が解決しようとする課題】
【０００５】
本発明は、上述のごとき実情に鑑みてなされたもので、歯科治療において光重合レジンの硬化に用いられる光重合器（ハンドピース）と患者の口腔内の様子を観察する口腔内観察カメラ（ハンドピース）とを効果的に組み合せて、単一のハンドピースとし、従来、２本必要としていたハンドピースを１本にして、コストの低減化を図るとともに、作業効率の向上を図ったものである。
【課題を解決するための手段】
【０００６】
請求項１の発明は、光重合用のＬＥＤと、ＣＣＤセンサと、前記光重合用ＬＥＤからの光を透過しかつ被観察箇所の像を屈折反射して前記ＬＥＤセンサに導くハーフミラープリズムとを有し、前記ＬＥＤよりの光により光重合レジンを硬化し、前記ＣＣＤセンサにより被観察箇所を撮像するようにしたことを特徴としたものである。
【０００７】
請求項２の発明は、請求項１の発明において、更に、照明用のＬＥＤを有し、該照明用のＬＥＤによって光重合箇所及び被観察箇所を照明するようにしたことを特徴としたものである。
【発明の効果】
【０００８】
歯科治療において、光重合レジンの硬化に使用される光重合器（ハンドピース）と口腔内の様子を観察するのに使用される口腔内観察カメラ（ハンドピース）を一体化したので、製造コストを低減でき、更には、光重合用ハンドピースと口腔内観察カメラ用ハンドピースを取り替えて使用する必要がないので、作業効率を格段に向上させることができる。
【発明を実施するための最良の形態】
【０００９】
図１は、本発明によるカメラ付光重合器の一実施例を説明するための要部概略構成図で、図中、１０はカメラ付光重合器（ハンドピース）、２０は電源及び信号線ケーブルで、ハンドピース１０の先端部（ヘッド部）には光重合用のＬＥＤ１１及び照明（可視光）用のＬＥＤ１２、ハーフミラープリズム１３、カメラ用レンズ１４、ＣＣＤセンサ１５等を有し、握持部（本体部）にはＣＣＤセンサ駆動用基板１６が設けられている。ヘッド部には、光重合用ＬＥＤ１１及び照明用ＬＥＤ１２に対向する位置にこれらＬＥＤ１１，１２からの光を透過するカバーガラス部１０ａが設けられており、例えば、歯牙修復作業時、光重合用ＬＥＤ１１からの光がハーフミラープリズム１３、及び、カバーガラス部１０ａを通して、図示しない歯牙修復用光重合レジンに照射され、該レジンを硬化する。
【００１０】
上述のごときレジン硬化作業前後において、当該作業箇所を観察したい時は、照明用ＬＥＤ１２が点灯して被観察箇所を照明し、ＣＣＤセンサ駆動用基板１６を駆動させると、被観察箇所の像がハーフミラープリズム１３、カメラ用レンズ１４、ＣＣＤセンサ１５にて撮像され、図２に示すモニタ４０に表示される。
【００１１】
図２は、図１に示したカメラ付光重合器の使用状態を説明するための全体構成図で、図中、１０はハンドピース、２０は電源及び信号線ケーブル、３０は画像信号処理装置、４０はモニタ（ディスプレイ）で、ハンドピース１０の先端部には、前述のように、ＬＥＤ１１，１２及びＣＣＤセンサ１５を有し、口腔内の被観察部位を照明用ＬＥＤ１２によって照明し、該ＬＥＤ１２によって照明された部位の状況をハーフミラープリズム１３、カメラ用レンズ１４等を通してＣＣＤセンサ１５によって撮影し、撮影した画像をケーブル２０を通して、画像信号処理装置３０に伝送し、該画像信号処理装置３０により画像処理し、モニタ（ディスプレイ）４０上に表示する。
【００１２】
また、光重合器として使用する時は、光重合用（４３０〜４８０ｎｍ波長）のＬＥＤ１１を発光させ、該ＬＥＤ１１からの光重合用の光をハーフミラープリズム１３を通して歯牙修復用レジンに照射し、該レジンを硬化する。この時、光重合用ＬＥＤと同時に照明（可視光）用のＬＥＤも同時に発光させると、光重合箇所のレジンを目視にてより明確に観察することができる。更には、ＣＣＤセンサ駆動用基板１６を駆動することにより、光重合箇所の様子をディスプレイ４０で観察することもできる。
【図面の簡単な説明】
【００１３】
【図１】本発明によるカメラ付光重合器の一実施例を説明するための要部概略構成図である。
【図２】図１に示したカメラ付光重合器の使用状態を説明するための全体構成図である。
【符号の説明】
【００１４】
１０…ハンドピース、１０ａ…カバーガラス部、１１…光重合用ＬＥＤ、１２…照明用ＬＥＤ、１３…ハーフミラープリズム、１４…カメラ用レンズ、１５…ＣＣＤセンサ、１６…ＣＣＤセンサ駆動用基板、２０…ケーブル、３０…画像信号処理装置、４０…モニタ（ディスプレイ）。
【図１】
2005080759.tif 000003
【図２】
2005080759.tif 000004